(57)【特許請求の範囲】
【請求項１】
椅子本体と、
この椅子本体に支持された座部体と、
この座部体の前端に上下方向に回動可能に連結された足載体と、
上記座部体の後端に前後方向に回動可能に連結された背部体と、
上記椅子本体または上記座部体に設けられ上記背部体を前後方向に回動させて所定の回動角度で保持する駆動手段と、
上記背部体の前後方向の回動に連動させて上記足載体を上下方向に回動させるとともに、上記背部体の後方への回動角度に対して上記足載体の上昇方向への回動角度を増大するリンク機構とを具備し、
上記リンク機構は、上記背部体の下端部に一端が枢着された第１のリンクと、この第１のリンクの他端に一端が枢着され他端が座部体に枢着されるとともに上記第１のリンクとほぼ同じ長さ寸法に設定された第２のリンクと、一端が上記第１のリンクの他端に上記第２のリンクの一端とともに枢着され他端が足載体に枢着された第３のリンクとを有し、
上記背部体が後方へ回動したときに、この背部体の下端の回動を上記第１、第２のリンクを介して上記第３のリンクに伝達する構成であることを特徴とするリクライニング椅子。
【発明の詳細な説明】
【０００１】
【発明の属する技術分野】
この発明は背部体の前後方向の動きに連動して足載体を上下方向に連動させる構成のリクライニング椅子に関する。
【０００２】
【従来の技術】
一般にリクライニング椅子は、椅子本体に座部体を支持し、この座部体の前端に足載体を上下方向に回動可能に連結し、後端に背部体を前後方向に回動可能に連結している。
【０００３】
上記構成のリクライニング椅子は、背部体を後方へ倒すとともに、足載体を上方へ回動させることで、利用者は上半身を上記背部体に沿って倒し脚部を持ち上げた、リラックスした姿勢で利用することができるようになっている。
【０００４】
従来、リクライニング椅子の先行技術としては実開平３−２２７４７号公報に示される構成が知られている。この公報に示されたリクライニング椅子は、背部体の下端と足載体の中途部下面とを連結棒で連結し、背部体の回動に足載体を連動させるようにしている。
【０００５】
【発明が解決しようとする課題】
ところで、従来のリクライニング椅子では、背部体の前後方向の回動角度に対して足載体の上下方向への回動角度がほぼ同じになっているので、背部体の後方への回動角度が少ないと、足載体をわずかしか上昇方向へ回動させることができないということがあった。
【０００６】
そのため、たとえばテレビを見たり、読書をする場合などに、上半身を後方へ大きく倒さずに、脚部を十分に持ち上げた姿勢、つまりリラックスした姿勢を取ることができないため、使い勝手が悪いということがあった。
【０００７】
この発明は、背部体の後方への回動角度がわずかであっても、足載体を上昇方向へ十分に回動させることができるようにしたリクライニング椅子を提供することにある。
【０００８】
【課題を解決するための手段】
請求項１の発明は、
椅子本体と、
この椅子本体に支持された座部体と、
この座部体の前端に上下方向に回動可能に連結された足載体と、
上記座部体の後端に前後方向に回動可能に連結された背部体と、
上記椅子本体または上記座部体に設けられ上記背部体を前後方向に回動させて所定の回動角度で保持する駆動手段と、
上記背部体の前後方向の回動に連動させて上記足載体を上下方向に回動させるとともに、上記背部体の後方への回動角度に対して上記足載体の上昇方向への回動角度を増大するリンク機構とを具備し、
上記リンク機構は、上記背部体の下端部に一端が枢着された第１のリンクと、この第１のリンクの他端に一端が枢着され他端が座部体に枢着されるとともに上記第１のリンクとほぼ同じ長さ寸法に設定された第２のリンクと、一端が上記第１のリンクの他端に上記第２のリンクの一端とともに枢着され他端が足載体に枢着された第３のリンクとを有し、
上記背部体が後方へ回動したときに、この背部体の下端の回動を上記第１、第２のリンクを介して上記第３のリンクに伝達する構成であることを特徴とする請求項１記載のリクライニング椅子にある。
【０００９】
請求項１の発明によれば、リンク機構によって背部体の回動に足載体を連動させるだけでなく、背部体の後方への回動角度に対して足載体の上昇方向への回動角度が増大されるため、背部体の後方への回動角度がわずかでも、足載体を十分に上昇方向へ回動させることができる。
【００１０】
しかも、第１のリンクと第２のリンクとをほぼ同じ長さ寸法に設定することで、背部体を所定の角度に倒し、足載体を所定の角度に上昇させた状態において、第１のリンクと第２のリンクとがなす角度を大きくできるから、足載体及び第３のリンクを介して第１、第２のリンクに回転力が加わっても、これら第１、第２のリンクの位置関係が変化するのが防止され、駆動手段によるつぎの動作を円滑に行うことができる。
【００１１】
【発明の実施の形態】
以下、この発明の一実施の形態を図１乃至図８を参照して説明する。
【００１２】
図１はリクライニング椅子の一部省略した斜視図で、このリクライニング椅子は椅子本体１を備えている。この椅子本体１は一対の連結板２によって所定間隔で連結された一対の接地板３を有する。接地板３の長手方向中途部にはそれぞれ肘掛け板４が下端を固着して立設されている。
【００１３】
一対の肘掛け板４の上端にはアームレスト５が前後方向に沿って設けられている。上記接地板３の後端にはローラ３ａが設けられている。椅子本体１は前端側を持ち上げることで、上記ローラ３ａによって容易に移動させることができるようになっている。
【００１４】
図１と図４に示すように、上記肘掛け板４の高さ方向中途部には、座部体６を構成する座部フレーム７の後端の両側に突出して設けられた連結軸８が固着されている。
【００１５】
座部フレーム７は一対の側部杆９を有し、これら側部杆９は後端部と前端部とがそれぞれ後部連結杆１１と帯板状の前部連結杆１２とで連結されている。図１に示すように、後部連結杆１１は側部杆９から垂設された連結片１１ａを介して連結され、前部連結杆１２は下端を前側の上記連結板２に固定した支持杆１３の上端に固定されている。さらに、一対の側部杆９には複数のＳ字状ばね１４が張設されている。
【００１６】
上記座部フレーム７の前端には足載体２１を構成する足載せフレーム２２が上下方向に回動可能に連結されている。この足載せフレーム２２は、一端が上記座部フレーム７の前端に支軸２３によって回動可能に連結されたパイプからなる後部フレーム２４と、この後部フレーム２４の他端に、後部フレーム２４内にほぼ半分まで挿入されてカシメによって固定された弾性部材としての密着コイルばね２５の残りの半分が挿入されてカシメによって固定されたパイプからなる前部フレーム２６の一端が連結されてなる。それによって、足載せフレーム２２は、前部フレーム２６に所定以上の荷重が加わると、上記密着コイルばね２５が弾性的に屈曲するから、この前部フレーム２６が後部フレーム２４に対して折れ曲がることになる。
【００１７】
上記後部フレーム２４には連結杆２７が幅方向に架設され、前部フレーム２６にはゴムベルトや布ベルトなどの帯部材２８が幅方向に張設されている。
【００１８】
そして、上記座部体６と足載体２１とには、これらフレーム７、２２の上面全体にわたって屈曲可能なクッション体２９（図２乃至図４に示す）が設けられている。このクッション体２９の上記足載体２１の部分には１乃至複数のバイブレータ３０が設けられている。
【００１９】
上記クッション体２９は、ウレタンフォームなどからなる柔軟なクッション本体２９ａと、それを被覆する袋状の外装地２９ｂとでなる。
【００２０】
そして、図示しないが上記外装地２９ｂの上記足載せフレーム２２に対応する部分には一端が開口した袋部が設けられ、この袋部内に上記足載せフレーム２２が収容されている。
【００２１】
また、上記外装地２９ｂの上記座フレーム７に対応する部分には左右に延長して連結片（図示せず）が設けられ、この連結片を上記座部フレーム７の一対の側部杆９を巻くようにして連結片の端部に取着されたベルベットファスナ（図示せず）を側部杆９の下面に取着されたベルベットファスナ（図示せず）に係止させている。それによって、上記クッション体２９は座フレーム７及び足載せフレーム２２に着脱自在に保持されている。
【００２２】
上記座部フレーム７の後端部には背部体３１が下部を回動可能に連結して設けられている。つまり、背部体３１は図２、図３及び図７に示すように背部フレーム３２を有し、この背部フレーム３２の下部の両側にはブラケット３３が前面側に向かって突設されている。そして、このブラケット３３が上記座フレーム７に設けられた連結軸８に回動可能に連結されている。
【００２３】
図２に示すように、上記背部フレーム３２は幅方向両側に上下方向ほぼ全長にわたるガイド部材３５が設けられ、このガイド部材３５にはマッサージローラ３６ａを有するマッサージユニット３６が設けられている。つまり、このマッサージユニット３６の両側にはガイドローラ３７とマッサージユニット３６に内蔵された図示しない駆動源によって回転駆動されるピニオン３８とが設けられている。上記ガイドローラ３７は上記ガイド部材３５に転動可能に支持され、上記ピニオン３８は上記ガイド部材３５に設けられたラック３９に噛合している。
【００２４】
なお、背部体３１は背面側が開閉可能な袋状の外装地４０によって覆われ、上記マッサージユニット３６の走行範囲以外の部分には図示しないクッション材が設けられている。
【００２５】
図１、図２及び図７に示すように、上記座部体６の前端部下面には、駆動手段５１が設けられている。この駆動手段５１は、可逆モータや減速機などからなる駆動源５２及びこの駆動源５２によって軸方向に進退駆動される駆動軸５３を有し、上記駆動源５２が上記前部連結杆１２に設けられたブラケット５４に枢着され、上記駆動軸５３の先端は上記背部フレーム３２の下端に設けられたブラケット５５（図１と図７に示す）に枢着されている。
【００２６】
したがって、上記駆動軸５３が上記駆動源５２によって軸方向に進退駆動されれば、上記背部体３１が上記連結軸８を支点として前後方向に回動されるようになっている。
【００２７】
上記背部体３１と上記足載体２とはリンク機構６１によって連結されている。このリンク機構６１は図３、図６などに示すように第１のリンク６２を有する。この第１のリンク６２は上記背部フレーム３２の下端に設けられたＬ字状の背側連結部材６３に軸６２ａによって一端が枢着されている。つまり、この背側連結部材６３は一端を上記背部フレーム３２に固着し他端を前方に向かって延出させていて、この他端に上記第１のリンク６２の一端が枢着されている。
【００２８】
第１のリンク６２の他端には第２のリンク６４と第３のリンク６５の一端とが軸６４ｂによって枢着されている。第２のリンク６４は第１のリンク６２とほぼ同じ長さ寸法に設定されていて、その他端は上記座部フレーム７の後部連結杆１１から垂設された座側連結部材６６に軸６４ａによって枢着されている。
【００２９】
上記第３のリンク６５は後部リンク片６５ａと前部リンク片６５ｂとが互いの一端を回動可能に連結してなり、後部リンク片６５ａの他端が上記第１のリンク６２の他端に枢着されている。
【００３０】
第３のリンク６５の他端、つまり前部リンク片６５ｂの他端は足載体２１の後部フレーム２４の連結杆２７に一端が連結された脚側連結部材６７の他端に枢着されている。前部リンク片６５ｂの一端部の上端面には、後部リンク片６５ａの一端部の上端面に係合する係合片６８が設けられている。それによって、第３のリンク６５は、後部リンク片６５ａと前部リンク片６５ｂとの連結部分を下方向に屈曲させることはできないが、上方向に屈曲させることができるようになっている。
【００３１】
図２と図３に示すように、第１乃至第３のリンク６２，６４，６５の長さ寸法は、背部体３１を前方へ最大限に起立させたときに、第１のリンク６２の上記第２のリンク６４に連結された他端が、上記背側連結部材６３に連結された一端側より椅子本体１の後方側に位置するように設定されている。背部体３１が前方へ最大限に起立した状態において、足載体２１はほぼ鉛直な状態で下降している。
【００３２】
さらに、第１のリンク６２と第２のリンク６４との長さ寸法がほぼ同じに設定されていることで、背部体３１を図３に示す前方へ最大限に起立させた状態において第１のリンク６２と第２のリンク６４とがなす角度αと、図４に示すように背部体３１を図３の状態よりも後方へ倒した状態において第１のリンク６２と第２のリンク６４とがなす角度βとは、β＞αの関係になるよう設定されている。
【００３３】
つぎに、上記構成のリクライニング椅子を使用する場合の形態について説明する。
【００３４】
背部体３１は、図２に実線で示すように前方へ最大限に起立した状態と、同図に鎖線で示すように後方へ倒伏した状態とで使用することができる。背部体３１は、前方へ最大限に起立した状態から後方へほぼ水平になる最大限に倒伏した状態との間の所定の倒伏角度で保持可能となっている。
【００３５】
図２に示すように、上記背部体３１を実線で示すように前方へ最大限に起立させた状態において、足載体２１は下方へほぼ鉛直に倒伏している。したがって、その状態で利用者は、座部体６に着座して背部体３１に寄り掛かるだけで、脚部が足載体２１によって持ち上げられた状態で支持されることはない。
【００３６】
利用者が着座した状態でテレビを見たり、読書をしたり、あるいはマッサージ椅子の場合にゆったりとした状態で背部のマッサージを受けるような場合、上半身を後方へあまり大きく倒さずに、脚部を持ち上げて楽な姿勢をとりたいことがある。
【００３７】
そのような場合には、駆動源５２を作動させて駆動軸５３を軸方向に後退させる。それによって、駆動軸５３に下端部が連結された背部体３１は連結軸８を支点として図２に実線で示す位置からＡで示す鎖線の位置まで倒伏する。
【００３８】
たとえば、図２、図３に示す背部体３１を最大限起立させた起立状態から図４に示す状態（この状態を第１の状態とする）である後方へ約１５度回動させると、この背部体３１の下端部に設けられた背側連結部材６３とともに、この背側連結部材６３に一端が軸６２ａによって枢着された第１のリンク６２の他端は軸６４ｂを支点として回動上昇する。
【００３９】
さらに、このとき、第２のリンク６４は軸６４ａに連結された一端を支点として他端が前方へ回動することで、第１のリンク６２と第２のリンク６４とに軸６４ｂによって後端が連結された第３のリンク６５が図４に矢印で示す方向へ前進し、足載体２１がほぼ垂直に降下した状態から図４に示すように約７０度の角度上昇する。
【００４０】
すなわち、駆動源５２を作動させて背部体３１を図３から図４に示すように後方へ倒伏させた場合、背部体３１の倒伏方向の回動に第１、第２のリンク６２、６４を介して第３のリンク６５を連動させ、この第３のリンク６５によって足載体２１を上昇させるようにしたから、背部体３１の倒伏角度に比べて大きな角度で足載体２１を上昇させることができる。
【００４１】
つまり、第３のリンク６５の一端を背側連結部材６３に直接連結した場合に比べ、この第３のリンク６５の前方への移動距離が増大する。
【００４２】
そのため、利用者の上半身が後方へ大きく倒れないよう背部体３１を図２に鎖線Ａで示すようにわずかに倒すだけでも、足載体２１をＸで示す鎖線の位置まで上昇させることができる。
【００４３】
それによって、利用者はテレビを見たり、読書をしたり、マッサージ椅子のマッサージを受けるときなどに適した楽な姿勢をとることができる。
【００４４】
図３に示す背部体３１が最も前方向に起立した起立状態から図４に示すように後方へわずかに倒伏させるとともに足載体２１を上昇させた第１の倒伏状態において、後端のローラ３ａによって椅子の位置をずらすためなどに、利用者は椅子から降りて足載体２１に手を掛け、この足載体２１を持ち上げることがある。
【００４５】
その場合、第３のリンク６５が前進方向に引かれることになるため、この第３のリンク６５の後端に軸６４ｂによって枢着された第１のリンク６２と第２のリンク６４とに回動方向の力が加わることになる。
【００４６】
図４の第１の倒伏状態において、第１のリンク６２と第２のリンク６４とがなす角度が小さい場合には、これらリンクは回動方向の力が加わることによってがたつき、これらリンクが重なり合ってしまうことがある。その状態で駆動源５２を作動させると、各リンク６２，６４が定められた方向へ円滑に回動しないことがある。
【００４７】
しかしながら、この発明では、第１のリンク６２と第２のリンクとをほぼ同じ長さにすることで、図４に示す第１の倒伏状態において、第１のリンク６２と第２のリンク６４とがなす角度βは、図３に示す起立状態においてこれらリンク６２，６４がなす角度αよりも大きくなるようにした。
【００４８】
そのため、図４の状態において椅子を移動させるためなどに、足載体２１に手を掛けて持ち上げるなどすることで、第３のリンク６５が前進方向に引かれても、角度βで開いた第１のリンク６２と第２のリンク６４との位置関係が変化することがない。
【００４９】
したがって、足載体２１を持ち上げるなどした後に駆動源５２を作動させても、各リンク６２、６４が所定の方向へ円滑に回動するため、背部体３１や足載体２１を所望する方向に確実に作動させることができる。
【００５０】
一方、利用者が身体を伸ばして横たわりたいような場合には、背部体３１を図４に示す第１の倒伏状態からさらに後方へ倒伏させ、図２にＢで示す鎖線の位置、つまり倒伏方向後方へ最大限に倒伏させ多大にの倒伏状態にする。
【００５１】
それによって、足載体２１は図２にＹで示す鎖線の位置まで上昇方向へ回動し、足載体２１、座部体６及び背部体３１がほぼ水平となるから、利用者は身体を伸ばした状態で横たわることができる。このときのリンク機構６１の作動状態は図５に示すようになる。
【００５２】
図４の状態から背部体３１を後方へさらに回動させて図５の第２の倒伏状態に移るときに、第１のリンク６２はほとんど前方へ回動することなく、連結部材６３に軸６２ａによって連結された端部が上方へ変位するだけなので、第３のリンク６５の前方向への移動量は、背部体３１を図２にＡで示す状態へ倒伏させる場合に比べて小さくなる。そのため、背部体３１の回動角度に比べて足載体２１の上昇角度は第１の倒伏状態のように大きくなることはない。
【００５３】
図５に示すように、足載体２１をほぼ水平に上昇させた状態で、足載体２１の上面に大きな荷重が加わると、この足載体２１が下方へ折れ曲がるなどして損傷する虞がある。しかしながら、上記足載体２１の足載せフレーム２２は後部フレーム２４と前部フレーム２６とを密着コイルばね２５によって連結した構成としている。
【００５４】
そのため、足載体２１の上面の前部フレーム２６の部分に所定以上の荷重、つまり利用者の脚部の重さに比べて所定以上大きな荷重が加わると、前部フレーム２６が上記密着コイルばね２５を弾性変形させて下方へ屈曲変形する。そのため、足載体２１に所定以上の荷重が加わっても、その荷重で損傷するのが防止される。
【００５５】
背部体３１を後方へ倒伏させたときに、脚部を持ち上げることのない姿勢をとりたいことがある。つまり、足載体２１を上昇させずに、ほぼ鉛直な状態に下降させておきたいことがある。そのような場合には、図５に示すように背部体３１を倒伏させることで足載体２１が上昇したならば、図８に示すようにリンク機構６１の第３のリンク６５の中途部を上方へ押し上げてこの第３のリンク６５を屈曲させる。
【００５６】
つまり、第３のリンク６５は、後部リンク片６５ａと前部リンク片６５ｂを回動自在に連結し、係合片６８によって下方には屈曲せずに、上方にだけ屈曲できる構成となっている。
【００５７】
そのため、上昇させた足載体２１に荷重が加わっても、第３のリンク６５はその荷重によって下方へ屈曲することはないが、利用者が後部リンク片６５ａと前部リンク片６５ｂとの連結部分を上方へ押し上げることで、上方へ屈曲させることができるから、背部体３１を前方へ回動させなくとも、足載体２１を下降させることができる。
【００５８】
上述した種々の利用形態において、背部体３１に設けられたマッサージユニット３６を作動させて背部体３１の上下方向に沿って走行させれば、利用者は背部体３１上に位置する部分にマッサージを受けることができる。さらに、クッション体２９の足載体２１の部分に設けられたバイブレータ３０を作動させれば、利用者は脚部に振動によるマッサージを受けることもできる。
【００５９】
図示しないが、上記マッサージユニット３６やバイブレータ３０は電源コードに接続されて通電可能に形成され、リモートコントロールスイッチによって各種の動作が行われるようになっている。
【００６０】
上記一実施の形態では足載体の後部フレームと前部フレームとを弾性部材としての密着コイルばね２５で連結したが、密着コイルばね２５に代わってゴムなどの弾性部材を用いるようにしてもよい。また、背部体３１を前後方向に駆動する駆動手段としてはガススプリングであってもよい。さらに、椅子本体の構成はなんら限定されるものでなく、また駆動手段は椅子本体でなく、座部体に設けるようにしてもよい。
【００６１】
【発明の効果】
この発明によれば、リンク機構によって背部体の回動に足載体を連動させるだけでなく、背部体の後方への回動角度に対して足載体の上昇方向への回動角度を増大させるようにした。
【００６２】
そのため、背部体の後方への回動角度がわずかでも、足載体を十分に上昇方向に回動させることができるから、たとえばテレビを見たり、読書をする場合などに上半身を後方へ大きく倒すことなく、脚部を持ち上げた楽な姿勢をとることができる。
【００６３】
しかも、第１のリンクと第２のリンクとをほぼ同じ長さ寸法に設定したから、背部体を所定の角度に倒し、足載体を所定の角度に上昇させた状態において、第１のリンクと第２のリンクとがなす角度を大きくできる。
【００６４】
そのため、足載体を上昇させた状態で、足載体に回動方向の力を加え、この足載体及び第３のリンクを介して第１、第２のリンクに回転力が加わっても、これら第１、第２のリンクが重なり合う状態になるのを防止できるから、駆動手段によって上記第１、第２のリンクを所定方向へ確実かつ円滑に駆動することができる。
【図面の簡単な説明】
【図１】この発明の一実施の形態を示す椅子の一部破断した斜視図。
【図２】同じく側面図。
【図３】同じくリンク機構を拡大して示す側面図。
【図４】同じく背部体をわずかに後方へ倒した状態を拡大して示す側面図。
【図５】同じく背部体を後方へ最大限に倒した状態を拡大して示す側面図。
【図６】同じくリンク機構を拡大して示す断面図。
【図７】同じく座部体の部分を拡大して示す平面図。
【図８】同じく背部体を後方へ倒伏させた状態で足載体を下方へ回動させた状態を拡大して示す側面図。
【符号の説明】
１…椅子本体
６…座部体
２１…足載体
２４…後部フレーム
２５…密着コイルばね（弾性部材）
２６…前部フレーム
３１…背部体
３６…マッサージユニット
３６ａ…マッサージローラ
６１…リンク機構
６２…第１のリンク
６４…第２のリンク
６５…第３のリンク
【図１】
0003653466.tif 000002
【図２】
0003653466.tif 000003
【図３】
0003653466.tif 000004
【図４】
0003653466.tif 000005
【図５】
0003653466.tif 000006
【図６】
0003653466.tif 000007
【図７】
0003653466.tif 000008
【図８】
0003653466.tif 000009